(57)【要約】【課題】ＩＣカードを用いてＩＤカードを作成するシステムにおいて、不良ＩＤカードを自動的に破壊して排出するカードプリンタの提供。【解決手段】ＩＣチップを内蔵するＩＣカードの表面に画像を形成し、ＩＣチップには前記画像に対応するデータを記録するカードプリンタであって、ＩＣチップとの情報交換を行う読み取り書き込み手段と、カードを破壊する破壊手段とを設けて、前記読み取り書き込み手段によりデータの読み取りができなかったＩＣカード、もしくは読み取られた情報がが不完全であったＩＣカードを、破壊手段により破壊するように制御する制御手段を有することを特徴とするカードプリンタ。【選択図】        図１
2005031938.tif 000002
【特許請求の範囲】
【請求項１】
ＩＣチップを内蔵するＩＣカードの表面に画像を形成し、ＩＣチップに前記画像に対応する情報を記録するカードプリンタであって、
ＩＣチップとの情報交換を行う読み取り書き込み手段と、カードを破壊する破壊手段とを設けて、
前記読み取り書き込み手段によりデータの読み取り書き込みができなかったＩＣカード、もしくは読み取られた情報が不完全であったＩＣカードを、
破壊手段により破壊するように制御する制御手段を有することを特徴とするカードプリンタ。
【請求項２】
前記破壊手段は、ＩＣカードに内蔵されたＩＣチップを物理的に破壊することを特徴とする請求項１に記載のカードプリンタ。
【請求項３】
前記破壊手段が、ＩＣカードを穿孔するパンチャーであることを特徴とする請求項１に記載のカードプリンタ。
【発明の詳細な説明】
【０００１】
【発明の属する技術分野】
本発明は、本人確認、所有者の各種資格を証明するためのＩＤカードを、ＩＣカードを用いて作成するプリンタに関する。
【０００２】
【従来の技術】
個人を特定するための身分証明書や、個人の資格を証明する資格証明書としてカードに顔画像と所定の事項を記載したＩＤカードは、広く一般に使用されている。
【０００３】
これらのＩＤカードは、表面には適宜な画像形成手段により個人データに基づく画像形成がなされて、裏面には諸事項が予め印刷された領域と、およびボールペン等の一般的な筆記具にて記載が可能な筆記可能領域とを有しているものが多い。
【０００４】
また、これらのＩＤカードの発行、検索、認証等に関わる処理をコンピュータシステムにて迅速に行うために、および、ＩＤカードの偽変造や不正使用を防止するために、磁気メモリとしての磁気ストライプ、あるいはＩＣメモリとしてのＩＣチップ、最近ではＣＰＵを有するＩＣチップ等をカードに持たせている（例えば、特許文献１参照。）。このようなＩＣチップを内蔵したカードは、一般に、ＩＣカードと呼ばれている。また、ＩＣカードには、電気的接点を有する接触型と、電波にて情報伝達および電磁誘導によるエネルギー伝達を行う非接触型とがあるが、各目的に適合するタイプが選択されている。
【０００５】
ＩＤカード発行に際しては、先ず、個人の提出した申込書、あるいは申請書等に記載された事項をコンピュータ処理するための入力処理が適宜な入力手段を用いてなされ、コンピュータ内の所定のファイルにストアされる。このファイルは関連するファイルと照合され、予め定められた処理がなされる。
【０００６】
ＩＤカードの発行が許可されると、人物を直接にカメラで撮影して、もしくは、申込書、申請書等に添付された写真をカメラ、スキャナーにより画像入力をして顔画像をコンピュータシステムに取り込む。
【０００７】
取り込まれた顔画像は、対応する個人情報と組み合わされ、出力画像データが作られる。出力画像データは画像形成手段としてのカードプリンタに送られ、ＩＣカード上に画像が形成される。
【０００８】
画像が形成されたＩＣカードは、読み取り手段にてＩＣチップに予め記録されていた情報が読み取られ、制御手段のメモリに記録される。その後、ＩＣチップには当該のＩＣカードに対応する個人情報をはじめ、必要情報が書き込み手段により書き込まれる。
【０００９】
通常、画像形成と書き込みを終えたＩＣカードは、読み取り手段によって、書き込まれた情報が読み取られて内容の確認がなされる。確認の結果、問題が無ければ、正常カードとして所定のスタッカーに収納され、作業者がスタッカーからＩＣカードを取り出し画像形成の結果を目視で判断して、問題が無ければ、発行のための次工程へと送られる。
【００１０】
もし、上述の読み取り手段による確認の結果、書き込まれた情報が正しくない、もしくは書き込みそのものができなかった、ということが判明した場合、不良カードを収納するスタッカーにＩＣカードを排出する。
【００１１】
しかしながら、前記不良カードの表面には正常な画像形成がなされているので、作業者は目視で不良カードと判断することはできない。従って、何らかの理由で前記不良カードが正常カードと混在する状態になると、その発見は容易ではない。その結果、不良カードを正常カードとして発行してしまう危険性も生じかねない。また、不良カードのＩＣチップに情報が記憶されていた場合、不適当な情報の漏洩が発生する可能性もある。
【００１２】
【特許文献１】
特開平７−２６６７５４号公報（第１−２頁）
【００１３】
【発明が解決しようとする課題】
本発明の目的は、ＩＣチップを有するＩＣカードに、画像形成と情報の書き込みを行ってＩＤカードを作成するプリンタに、ＩＣチップとの情報交換を行う読み取り書き込み手段と、カードを破壊するための破壊手段とを設けて、情報の書き込みが正しくなされなかったＩＣカード、もしくは書き込みができなかったＩＣカードを不良カードとして検知して、検知された不良カードのＩＣチップ部を目視による識別が容易な状態に破壊して、正常なカードとは別のスタッカーに収納することによって、不良カードの誤発行、情報漏洩を防止することにある。
【００１４】
【課題を解決するための手段】
上記課題は、以下の手段により達成される。
（１）  ＩＣチップを内蔵するＩＣカードの表面に画像を形成し、ＩＣチップに前記画像に対応する情報を記録するカードプリンタであって、
ＩＣチップとの情報交換を行う読み取り書き込み手段と、カードを破壊する破壊手段とを設けて、
前記読み取り書き込み手段により情報の読み取り書き込みができなかったＩＣカード、もしくは読み取られた情報が不完全であったＩＣカードを、
破壊手段により破壊するように制御する制御手段を有することを特徴とするカードプリンタ。
【００１５】
（２）  前記破壊手段は、ＩＣカードに内蔵されたＩＣチップを物理的に破壊することを特徴とする（１）に記載のカードプリンタ。
【００１６】
（３）  前記破壊手段が、ＩＣカードを穿孔するパンチャーであることを特徴とする（１）に記載のカードプリンタ。
【００１７】
【発明の実施の形態】
図１は本発明に関わるカードプリンタを模式的に示す図である。
【００１８】
図に示すように、カードプリンタＰＲはコンピュータＣＲと接続され、コンピュータＣＲから送られる画像形成情報と、およびＩＣチップへの書き込み情報とを受け、ＩＣカードに所定の画像形成と書き込みを行ってＩＤカードを作成する装置である。
【００１９】
カードプリンタＰＲは、ホッパーＨＰ１、ＨＰ２、ＨＰ３、カード給送手段１０、カード搬送手段２０、画像形成手段Ｙ、Ｍ、Ｃ、Ｋ、保護膜形成手段ＨＳ１、オーバーコート手段ＨＳ２、読み取り書き込み手段ＲＷ、破壊手段ＰＮ、第１スタッカ３０、第２スタッカー４０、制御手段ＣＮ等から構成される
ホッパーＨＰ１、ＨＰ２、ＨＰ３には、ＩＣカードが画像形成のための受像層面を上に向け積層載置されている。三つのホッパーには、同種のＩＣカードを載置しても良いし、予め異なる印刷を施したＩＣカードを載置して、コンピュータＣＲから送られた情報を基にして、ＩＣカードを送り出すホッパーを選択するようにしても良い。
【００２０】
また、ホッパーＨＰ１、ＨＰ２、ＨＰ３にＩＣカードを載置する代わりにＩＣカードを収納した特定のカートリッジを準備して、このカートリッジを所定位置にセットするように構成しても良い。
【００２１】
載置されたＩＣカードは、給送手段１０により一枚ずつに分離され、搬送手段２０により画像形成手段Ｙに送られる。なお、搬送手段２０とは、給送手段１０から送られたＩＣカードを所定のスタッカまで搬送する搬送機構全体を指している。
【００２２】
画像形成手段Ｙにおいては、コンピュータＣＲから制御手段ＣＮを介して送られたイエロー画像がＩＣカード上に形成される。イエロー画像を担持した前記ＩＣカードは、搬送手段２０により次の画像形成手段Ｍに搬送され、所定位置にはマゼンタの画像が形成される。同様にして、画像形成手段Ｃにてシアン画像が、画像形成手段Ｋでは黒の画像が形成される。なお、画像形成手段Ｙ、Ｍ、Ｃ、Ｋは、転写リボンをサーマルヘッドでＩＣカードに押圧して画像形成を行う熱溶融転写方式によるもので、公知のものである。
【００２３】
画像形成がなされた前記ＩＣカードは、画像形成面が上を向くようにして、保護膜形成手段ＨＳ１に送られ、形成された画像を保護するための保護シートが面上に貼り付けられる。
【００２４】
次の、オーバーコート手段ＨＳ２では、さらなる保護のためのコーティングがＩＣカード面上に施される。
【００２５】
画像形成と保護層の形成を終えたＩＣカードは、内蔵するＩＣチップとの情報交換をする手段、即ちＩＣチップのメモリが記憶している情報の読み取りと、メモリへの書き込みを行う手段である読み取り書き込み手段ＲＷにより、先ずＩＣカードの製造段階で記録された固有のデータが読み取られる。次に、ＩＣカード表面に形成された画像情報に対応する所定の情報が、ＩＣカードに書き込まれる。書き込まれた情報は直ちに読み出され、その内容が書き込んだ情報と一致しているか否かの確認が行われる。確認の結果、一致しているとの結果が得られたＩＣカードは、正しく情報が書き込まれたものとして、搬送手段２０によって、破壊手段ＰＮを通過して、良品を収納するスタッカー３０に送られ、画像形成と情報書き込みがなされたＩＤカードの作成が完了する。
【００２６】
しかしながら、上述の確認の結果、書き込んだ情報と読み出した情報とが一致しなかった場合、もしくは情報を正常に読み出せなかった場合には、ＩＣカードは、搬送手段２０により破壊手段ＰＮの所定の位置まで送られ、パンチャーによって、ＩＣカードのＩＣチップが実装されている部分に孔があけられる。孔があけられたＩＣカードは、廃棄すべき不良カードとして廃棄スタッカー４０に送られる。
【００２７】
廃棄スタッカー４０に収納された不良カードは、仮に、良品と混在しても、あけられた孔により容易に不良品としての識別ができ、また、ＩＣチップが破壊されているので、情報の悪用も防止される。
【００２８】
図２は、カードプリンタの制御関係を示すブロック図である。制御手段ＣＮはＣＰＵ、メモリ、入出力Ｉ／Ｏインターフェイス、通信用インターフェイス、各手段を駆動する回路等を有するコンピュータシステムである。コンピュータＣＲとは通信手段にて接続されている。前記通信手段は画像の通信に支障を来さない速度のものであれば、適宜なものでよい。
【００２９】
なお、本図においては、本発明に直接関係しないブロックは省略されている。
図３は破壊手段ＰＮを示す模式図である。
【００３０】
不良ＩＣカードは、図の手前から奥側に向かって搬送される。破壊手段ＰＮは、穿孔部材５０、受け部材５１、支持部材５２、バネ５３、止めワッシャー５４、変芯カム５５、モータＭ等から構成されるパンチャーである。
【００３１】
穿孔部材５０の先端は、穿孔部材５０の溝に固定された止めワッシャー５４とバネ５３の作用により図の実線位置にて停止している。破壊すべき不良ＩＤカードが搬送手段２０により搬送され、所定位置にて停止すると、制御手段ＣＮの指示によりモータＭ１が１回転する。この回転により、穿孔部材５０は支持部材５２によって案内されながら図の点線位置まで下降し、再度元の位置まで上昇する。受け部材５１は、適宜なクリアランスを持って穿孔部材５０と嵌合する部材であり、前記の穿孔部材５０との間に置かれたＩＣカードには、穿孔部材５０に対応する大きさの孔があけられる。
【００３２】
支持部材５２は、カード搬送路の進行方向、および横方向に移動可能であり、ＩＣカードのＩＣチップが実装されている位置にて穿孔がされるように固定される。
【００３３】
なお、ＩＣカードを破壊する方法としては、ＩＣチップの動作を停止させるためのソフト対応、電気的対応も考えられるが、目視では対応済みの不良ＩＤカードの識別ができないので不適であり、また、物理的破壊手段としては曲げ、断裁等でも良いが、破壊したカードを所定のスタッカまで搬送するための搬送手段、破壊されたカードの収納手段が複雑となるので適当とは言い難い。
【００３４】
図４は、破壊手段ＰＮを作動させるか否かの判定手順を示すフローチャートである。
【００３５】
先ず、画像形成され、画像面の保護処理がなされたカードは、読み取り書き込み手段にて、予めＩＣカードに記録されていた情報を読み出す（Ｓ１）。読み出された情報は対応する書き込み情報と組み合わされ、ファイリングされる、もし、読み出しができなかった場合には（Ｓ２）、破壊手段ＰＮに動作待機の指示を出す（Ｓ９）。次に、読み取り書き込み手段により、形成されている画像に対応した情報がＩＣカードに書き込まれる（Ｓ３）。もし、書き込みができなかった場合には（Ｓ４）、破壊手段ＰＮに動作待機の指示を出す（Ｓ９）。再び、ＩＣカードに記憶されている情報は読み出され（Ｓ５）、もし、読み出しができなければ（Ｓ６）、不良カードとして破壊手段ＰＮに動作待機の指示を出す（Ｓ９）。正常に読み出された場合には（Ｓ６）、書き込み情報と読み出された情報が一致しているか否かの照合（Ｓ７）へ移行する。Ｓ７での照合の結果、不一致であれば不良カードとして破壊手段ＰＮに動作待機の指示が出され（Ｓ９）、一致していた場合には、破壊手段の動作が次のＩＣカードの判定まで禁止される（Ｓ８）。
【００３６】
なお、これらの処理を実行させるためのプログラムは、制御手段ＣＮのメモリに予めストアされているものである。
【００３７】
【発明の効果】
請求項１に記載の発明により、不良ＩＤカードの発行が防止される。
【００３８】
請求項２に記載の発明により、不良ＩＤカードに記憶された情報の漏洩が防止される。
【００３９】
請求項３に記載の発明により、不良ＩＤカードの破壊後の処理が容易になる。
【図面の簡単な説明】
【図１】カードプリンタの構成を模式的に示す図である。
【図２】カードプリンタの制御関係を示すブロック図である。
【図３】破壊手段を模式的に示す図である。
【図４】破壊手段の動作を判定するプログラムのフローチャートである。
【符号の説明】
１０  給送手段
２０  搬送手段
３０  第１スタッカー
４０  第２スタッカー
５０  穿孔部材
５１  受け部材
Ｙ、Ｍ、Ｃ、Ｋ  画像形成手段
ＣＮ  制御手段
ＣＲ  コンピュータ
ＨＳ１  保護膜形成手段
ＨＳ２  コーティング手段
ＨＰ１、ＨＰ２、ＨＰ３  ホッパー
ＰＮ  破壊手段
ＰＲ  カードプリンタ
ＲＷ  読み取り書き込み手段
【図１】
2005031938.tif 000003
【図２】
2005031938.tif 000004
【図３】
2005031938.tif 000005
【図４】
2005031938.tif 000006